(57)【特許請求の範囲】
【請求項１】
空気調和機に適用され、前記空気調和機のドレンパンを清水で洗浄する空気調和機用ドレンパン洗浄装置であって、
前記ドレンパン上で、前記空気調和機の熱交換器を囲むように配置されている給水配管と、
前記給水配管を開閉する電磁弁と、
前記電磁弁を制御する制御部と、を備え、
前記給水配管は、外部から供給される清水を前記熱交換器に向けて噴射する複数の噴射口を有する加湿用の第１給水配管と、外部から供給される清水を前記ドレンパンに向けて散水する複数の散水口を有する洗浄用の第２給水配管と、を有し、
前記電磁弁は、前記第１給水配管を開閉する第１電磁弁と、前記第２給水配管を開閉する第２電磁弁と、を有し、
前記制御部は、前記空気調和機の暖房運転時には、前記第１電磁弁を開いて前記噴射口から清水を噴射させ、前記空気調和機の冷房運転時には、前記第２電磁弁を開いて前記散水口から清水を散水させる
空気調和機用ドレンパン洗浄装置。
【請求項２】
前記給水配管の末端部は、ドレン水がたまる前記ドレンパンのポットまで延びて設けられている
請求項１に記載の空気調和機用ドレンパン洗浄装置。
【請求項３】
ドレン水がたまる前記ドレンパンのポットには、らせん状の溝が形成されている
請求項１または請求項２に記載の空気調和機用ドレンパン洗浄装置。
【請求項４】
前記制御部は、前記空気調和機の冷房運転時において、設定時間毎に前記第２電磁弁を開いて前記散水口から清水を噴射させる
請求項１から請求項３までの何れか１項に記載の空気調和機用ドレンパン洗浄装置。
【請求項５】
前記制御部は、前記空気調和機の冷房運転時において、サーモスタットがオフして冷房要求が切れた際に、前記第２電磁弁を開いて前記散水口から清水を噴射させる
請求項１から請求項４までの何れか１項に記載の空気調和機用ドレンパン洗浄装置。
【請求項６】
前記制御部は、前記空気調和機の冷房運転後、前記空気調和機が停止した際に、前記第２電磁弁を開いて前記散水口から清水を噴射させる
請求項１から請求項５までの何れか１項に記載の空気調和機用ドレンパン洗浄装置。
【発明の詳細な説明】
【技術分野】
【０００１】
この発明は、空気調和機（以下、「空調機」とも称する）に適用され、空調機のドレンパンを清水で洗浄する空気調和機用ドレンパン洗浄装置に関する。
【背景技術】
【０００２】
空調機には、冷房運転時に熱交換器で発生したドレン水を１次受けするドレンパンが設けられている。また、ドレンパンには勾配がつけられており、ドレンパンの底部にたまったドレン水は、ドレンポンプにより吸い上げられて、空調機の外部に排出される。ここで、空調機のドレンパンには、埃がたまりやすいという問題があった。
【０００３】
そこで、ドレンパンのほぼ全長にわたってドレンパンの上に延び長手方向に複数の散水口を有する細長の散水管と、ドレンパンに結合しドレン水を排水する排水管と、ドレンポンプから出力されるドレン水を選択的に散水管または排水管に流す電磁弁と、ドレンポンプの始動時に、ドレンパンにたまった埃を流すためにドレン水を散水管に流し、一定時間経過後に散水管を閉じてドレン水を排水管に流す制御回路と、を備えた空調機ドレンパンの自己洗浄排水装置が提案されている（例えば、特許文献１参照）。
【先行技術文献】
【特許文献】
【０００４】
【特許文献１】実用新案登録第３０６０７３８号公報
【発明の概要】
【発明が解決しようとする課題】
【０００５】
しかしながら、従来技術には、以下のような課題がある。
すなわち、特許文献１に記載の空調機ドレンパンの自己洗浄排水装置では、時間の経過とともに、ドレンポンプで吸い上げきれないドレン水や勾配の途中に残ったドレン水に雑菌が繁殖してヘドロ状になり、ドレンポンプの吸い込み口にヘドロが詰まって排水不良を引き起こし、漏水や機器停止に至る恐れがあるという問題がある。
【０００６】
また、特許文献１において、ドレン水の雑菌の繁殖を抑制するために、散水管を水道水等の外部の水源からの配管と接続して、清水でドレンパンにたまった埃を流すことが考えられるが、この場合には、外部の水源からの配管を設ける工事が必要になり、コストが高くなるという問題がある。
【０００７】
この発明は、上記のような課題を解決するためになされたものであり、安価な構成でドレン水の雑菌の繁殖を抑制することができる空気調和機用ドレンパン洗浄装置を得ることを目的とする。
【課題を解決するための手段】
【０００８】
この発明に係る空気調和機用ドレンパン洗浄装置は、空気調和機に適用され、空気調和機のドレンパンを清水で洗浄する空気調和機用ドレンパン洗浄装置であって、ドレンパン上で、空気調和機の熱交換器を囲むように配置されている給水配管と、給水配管を開閉する電磁弁と、電磁弁を制御する制御部と、を備え、給水配管は、外部から供給される清水を熱交換器に向けて噴射する複数の噴射口を有する加湿用の第１給水配管と、外部から供給される清水をドレンパンに向けて散水する複数の散水口を有する洗浄用の第２給水配管と、を有し、電磁弁は、第１給水配管を開閉する第１電磁弁と、第２給水配管を開閉する第２電磁弁と、を有し、制御部は、空気調和機の暖房運転時には、第１電磁弁を開いて噴射口から清水を噴射させ、空気調和機の冷房運転時には、第２電磁弁を開いて散水口から清水を散水させるものである。
【発明の効果】
【０００９】
この発明に係る空気調和機用ドレンパン洗浄装置によれば、ドレンパン上で、空気調和機の熱交換器を囲むように配置され、外部から供給される清水を熱交換器に向けて噴射する複数の噴射口を有する加湿用の給水配管と、給水配管を開閉する電磁弁と、電磁弁を制御する制御部とを備え、制御部は、空気調和機の暖房運転時および冷房運転時に、電磁弁を開いて噴射口から清水を噴射させる。
すなわち、空気調和機の暖房運転時は、加湿用の給水配管から清水を噴射することで空気調和機から吹き出される空気を加湿するとともに、空気調和機の冷房運転時は、加湿用の給水配管から清水を噴射することでドレンパンを清水で洗浄することができる。
そのため、加湿用の給水配管を用いてドレンパンを清水で洗浄することにより、安価な構成でドレン水の雑菌の繁殖を抑制することができる。
【図面の簡単な説明】
【００１０】
【図１】この発明の実施の形態１に係る空気調和機用ドレンパン洗浄装置が適用された空調機の要部を模式的に示す平面図である。
【図２】図１に示した空調機を、Ｉ−Ｉ線に沿って切断した断面図である。
【図３】この発明の実施の形態１に係る空気調和機用ドレンパン洗浄装置を示す模式図である。
【図４】図１に示した空調機のポット周辺を示す拡大図である。
【発明を実施するための形態】
【００１１】
以下、この発明に係る空気調和機用ドレンパン洗浄装置の好適な実施の形態につき図面を用いて説明するが、各図において同一、または相当する部分については、同一符号を付して説明する。なお、この発明に係る空気調和機用ドレンパン洗浄装置は、空調機に適用され、空調機のドレンパンを清水で洗浄するものである。
【００１２】
実施の形態１．
図１は、この発明の実施の形態１に係る空気調和機用ドレンパン洗浄装置が適用された空調機の要部を模式的に示す平面図である。図１において、この空調機には、冷房運転時に熱交換器１で発生したドレン水を１次受けするドレンパン２が設けられている。
【００１３】
また、ドレンパン２には勾配がつけられており、ドレン水は、ドレンパン２の底部に窪んで設けられたポット３にたまる。ポット３にたまったドレン水は、ドレンポンプ（図示せず）により吸い上げられて、空調機の外部に排出される。
【００１４】
ここで、近年、暖房シーズン中に、ビル管理法で定められている湿度を維持するために、空調機に加湿器を追加設置することが多くなっている。そこで、この空調機には、ドレンパン２上で、熱交換器１を囲むように配置され、外部から供給される清水を熱交換器１に向けて噴射する複数の噴射口を有する加湿用の給水配管１０が設けられている。
【００１５】
また、給水配管１０には、この給水配管１０を開閉する電磁弁２０が設けられている。また、電磁弁２０は、この電磁弁２０の動作を制御する制御部３０に接続されている。制御部３０は、空調機の暖房運転時および冷房運転時に、電磁弁２０を開いて噴射口から清水を噴射させる。
【００１６】
具体的には、制御部３０は、空調機の暖房運転時には、加湿用の給水配管１０から清水を噴射することで空調機から吹き出される空気を加湿する。また、制御部３０は、空調機の冷房運転時には、加湿用の給水配管１０から清水を噴射することで、加湿用の給水配管１０を用いてドレンパン２を清水で洗浄する。
【００１７】
以下、図２、３を参照しながら、この発明の実施の形態１に係る空気調和機用ドレンパン洗浄装置についてより具体的に説明する。図２は、図１に示した空調機を、Ｉ−Ｉ線に沿って切断した断面図である。また、図３は、この発明の実施の形態１に係る空気調和機用ドレンパン洗浄装置を示す模式図である。
【００１８】
図２において、給水配管１０は、外部から供給される清水を熱交換器１に向けて噴射する加湿用の第１給水配管１１と、外部から供給される清水をドレンパン２に向けて散水する洗浄用の第２給水配管１２とが、上下に並べて配置されている。このとき、第２給水配管１２の下面は、熱交換器１の下端と同じ高さか、それよりも上側に設けられる。また、第１給水配管１１と第２給水配管１２とは、加湿器の設置の際、同時に設けられる。
【００１９】
また、第１給水配管１１には、複数の噴射口１３が設けられ、第２給水配管１２には、複数の散水口１４が設けられている。噴射口１３は、横向きに設けられ、散水口１４は、下向きに設けられている。ここで、加湿用の第１給水配管１１と洗浄用の第２給水配管１２とを分けることにより、ドレンパン２の洗浄に十分な水量を確保することができる。
【００２０】
図３において、第１給水配管１１には、この第１給水配管１１を開閉する第１電磁弁２１（Ｖ１）が設けられている。また、第２給水配管１２には、この第２給水配管１２を開閉する第２電磁弁２２（Ｖ２）が設けられている。第１電磁弁２１および第２電磁弁２２は、これらの電磁弁の動作を制御する制御部３０に接続されている。
【００２１】
制御部３０は、空調機の暖房運転時には、第１電磁弁２１を開いて噴射口１３から清水を噴射させ、空調機の冷房運転時には、第２電磁弁２２を開いて散水口１４から清水を散水させる。具体的には、制御部３０は、空調機の暖房運転時には、加湿用の第１給水配管１１から熱交換器１に清水を噴射し、空調機から吹き出される空気を加湿する。
【００２２】
また、制御部３０は、空調機の冷房運転時には、洗浄用の第２電磁弁２２からドレンパン２に清水を噴射し、ドレンパン２を清水で洗浄する。これにより、ドレンパン２、ドレンポンプおよびドレン配管（図示せず）を清水で洗浄することができる。すなわち、冷房シーズンには使用しない加湿器用の給水を利用して清水でドレンパン２を洗浄することで、雑菌の繁殖を抑制することができる。
【００２３】
なお、制御部３０は、空調機の冷房運転時において、設定時間毎に第２電磁弁２２を開いて、散水口１４から清水を噴射させる。ここで、ドレン水には、６時間程度経過すると雑菌が繁殖し始めることが分かっていることから、例えば設定時間を４時間にすることで、雑菌の繁殖を抑制することができる。
【００２４】
また、制御部３０は、空調機の冷房運転時において、サーモスタット（図示せず）がオフして冷房要求が切れた際に、第２電磁弁２２を開いて散水口１４から清水を噴射させてもよい。また、制御部３０は、空調機の冷房運転後、空調機が停止した際に、第２電磁弁２２を開いて散水口１４から清水を噴射させてもよい。これらの場合にも、清水でドレンパン２を洗浄することで、雑菌の繁殖を抑制することができる。
【００２５】
図４は、図１に示した空調機のポット周辺を示す拡大図である。図４において、第２給水配管１２の末端部は、ドレン水がたまるドレンパン２のポット３まで延びて設けられている。また、ポット３には、第２給水配管１２から散水されて、ポット３に入る清水が、渦巻き状の水流となるように、らせん状の溝が形成されている。
【００２６】
このように、第２給水配管１２の末端部をドレンパン２のポット３まで延ばすとともに、ポット３にらせん状の溝を形成することにより、強い水流を発生させることができ、強力にポット３内を洗浄することができる。また、もしポット３にヘドロがたまっている場合であっても、強い水流によりヘドロを分解し、ドレンポンプのつまりを防止することができる。
【００２７】
以上のように、実施の形態１によれば、ドレンパン上で、空気調和機の熱交換器を囲むように配置され、外部から供給される清水を熱交換器に向けて噴射する複数の噴射口を有する加湿用の給水配管と、給水配管を開閉する電磁弁と、電磁弁を制御する制御部とを備え、制御部は、空気調和機の暖房運転時および冷房運転時に、電磁弁を開いて噴射口から清水を噴射させる。
すなわち、空気調和機の暖房運転時は、加湿用の給水配管から清水を噴射することで空気調和機から吹き出される空気を加湿するとともに、空気調和機の冷房運転時は、加湿用の給水配管から清水を噴射することでドレンパンを清水で洗浄することができる。
そのため、加湿用の給水配管を用いてドレンパンを清水で洗浄することにより、安価な構成でドレン水の雑菌の繁殖を抑制することができる。
【符号の説明】
【００２８】
１  熱交換器、２  ドレンパン、３  ポット、１０  給水配管、１１  第１給水配管、１２  第２給水配管、１３  噴射口、１４  散水口、２０  電磁弁、２１  第１電磁弁、２２  第２電磁弁、３０  制御部。
【図１】
0006415416.tif 000002
【図２】
0006415416.tif 000003
【図３】
0006415416.tif 000004
【図４】
0006415416.tif 000005